(57)【特許請求の範囲】
【請求項１】
フィリングビルディングによって下方から上方へ順に糸を巻き付けて管糸形成を行う紡機において、
１回のチェース長を一定に保持し、かつリングレールの下部反転位置の上方への変位量を同じにした通常の巻き取りで上限位置まで巻き取りを行った後、前記リングレールの上部反転位置を前記上限位置より下げつつ、かつチェース長が漸減するように前記リングレールを昇降して増量巻を行う紡機における管糸形成方法。
【請求項２】
前記増量巻を行う際における前記リングレールの下部反転位置の上方への変位量は、前記通常の巻き取り時における上方への変位量と同じに設定されている請求項１に記載の紡機における管糸形成方法。
【請求項３】
前記増量巻を行う際における前記リングレールの上部反転位置の下方への変位量が一定となるようにリングレールが昇降される請求項１又は請求項２に記載の紡機における管糸形成方法。
【請求項４】
前記増量巻を行った後、前記通常の巻き取り時における上限位置より上側に糸を巻き付ける首巻きを行う請求項１〜請求項３のいずれか一項に記載の紡機における管糸形成方法。
【発明の詳細な説明】
【技術分野】
【０００１】
本発明は、リング精紡機、リング撚糸機等の紡機の管糸形成方法に係り、特にフィリングビルディングを行う紡機の巻終わり部分において増量巻を行う場合の管糸形成方法に関する。
【背景技術】
【０００２】
リング精紡機、リング撚糸機等の紡機においては、機台運転中にリングレールの昇降運動を繰り返しながら次第にリングレールを上昇させて糸の巻き取りを行う、所謂フィリングビルディングで糸の巻き取りが行われる。
【０００３】
リング精紡機の生産性向上の一方策として、管糸単量（ボビンに巻き得る糸の量）を多くすることが一般的に指向されている。なぜならば、管糸単量を増やすことは、糸生産量に対するボビン交換回数の低減につながり、紡出停止時間を短くすることができるからである。また、ワインダでの糸の巻き返しにおける糸継ぎ回数も低減され、ワインダの稼働率向上も図ることができる。
【０００４】
管糸単量を多くする方法として、ボビンを細くする、管糸の巻き形状を工夫する（体積の大きな輪郭形状にする）等がある。リングレールの一回毎の昇降量を巻始めから巻終わりまで一定にした場合、管糸の形状は、図４（ａ）に示すように、管糸６１の上部及び下部に円錐台状の部分が形成された形状になる。従来、巻始め部分で増量巻を行うことが提案されている（例えば、特許文献１参照。）。その場合、図４（ｂ）に示すように、管糸６１の下部の形状は円錐台形状より外側に膨出した形状になる。特許文献１には、増量巻を行う場合に、増量巻の部分の管糸形状が同じでも、糸の巻き付けピッチが増量巻でない部分、即ち通常巻の部分と変わらない状態で行うことができる方法が提案されている。
【特許文献１】特開平２−２７７８２７号公報
【発明の開示】
【発明が解決しようとする課題】
【０００５】
従来の増量巻は管糸の下部、即ち糸の巻始め部分に行うものに限られていた。この理由としては、従来フィリングビルディングを行う紡機は一般にハートカムを備えたリングレール昇降機構を備えていたため、管糸の巻終わりにリングレールの上部反転位置を次第に下降させることが困難であったことが挙げられる。
【０００６】
そして、従来は管糸の下部における増量巻より管糸単量を増やす場合は、管糸径を大きくしたり、使用するボビン長を長くしたりしていた。しかし、紡機においては管糸径がリングレールのリング径の制約を受け、管糸径を自由に代えるためにはリング径の異なるリングレールを準備しておく必要がある。また、ボビンの長さを変更する場合も、予め必要な長さのボビンを準備する必要があるとともに、ボビンの長さがあまり長い場合は、紡機の機台フレームの変更も必要になるという問題がある。
【０００７】
本発明は、前記従来の問題に鑑みてなされたものであって、その目的はボビン長を代えずに、かつ同じ管糸径で巻き取りを行っても従来に比べて管糸単量を増やすことができる新規な管糸形成方法を提供することにある。
【課題を解決するための手段】
【０００８】
前記の目的を達成するため、請求項１に記載の発明は、フィリングビルディングによって下方から上方へ順に糸を巻き付けて管糸形成を行う紡機において、１回のチェース長を一定に保持し、かつリングレールの下部反転位置の上方への変位量を同じにした通常の巻き取りで上限位置まで巻き取りを行った後、前記リングレールの上部反転位置を前記上限位置より下げつつ、かつチェース長が漸減するように前記リングレールを昇降して増量巻を行う。ここで、「チェース長」とは、リングレールの一回の昇降量を意味する。
【０００９】
この発明では、従来の管糸形成方法では満管停止動作に移行する時点から更に巻き取りが継続されて、管糸の上部に増量巻部が形成される。増量巻部は通常の巻き取りにおける上限位置よりリングレールの上部反転位置を下げつつ、かつチェース長が漸減するようにリングレールを昇降させることで形成されるため、ボビン長を長くする必要はない。従って、ボビン長を代えずに、かつ同じ管糸径で巻き取りを行っても従来に比べて管糸単量を増やすことができる。
【００１０】
請求項２に記載の発明は、請求項１に記載の発明において、前記増量巻を行う際における前記リングレールの下部反転位置の上方への変位量は、前記通常の巻き取り時における上方への変位量と同じに設定されている。従って、この発明では、増量巻部における下部の管糸径が通常巻の部分と同じ径で連続するように巻き取りが行われるため、径が次第に小さくなる場合に比較して巻量を増やすことができる。
【００１１】
請求項３に記載の発明は、請求項１又は請求項２に記載の発明において、前記増量巻を行う際における前記リングレールの上部反転位置の下方への変位量が一定となるようにリングレールが昇降される。この発明では、増量巻の部分をボビンの中心を含む面で切断した断面の外形線が直線状になり、外形線が曲線になる場合に比較してスラッフィングが発生し難くなる。
【００１２】
請求項４に記載の発明は、請求項１〜請求項３のいずれか一項に記載の発明において、前記増量巻を行った後、前記通常の巻き取り時における上限位置より上側に糸を巻き付ける首巻きを行う。ここで、「スラッフィング」とは、ワインダ工程における管糸の巻き返し作業時に、糸が輪状で抜ける現象を意味する。この発明では、首巻き部がスラッフィングを抑制する機能を果たすため、首巻き行わない場合に比較して増量巻の量を増やすことができる。
【発明の効果】
【００１３】
本発明によれば、ボビン長を代えずに、かつ同じ管糸径で巻き取りを行っても従来に比べて管糸単量を増やすことができる。
【発明を実施するための最良の形態】
【００１４】
以下、本発明をリング精紡機に具体化した一実施形態を図１〜図４に従って説明する。
図２に示すように、ドラフトパートを構成するフロントローラ１１の回転軸１１ａの端部に歯車１２が嵌着されている。回転軸１１ａは歯車１２と、主モータＭにより回転駆動されるドライビングシャフト１３との間に配設された歯車列（図示せず）を介して回転駆動されるようになっている。スピンドル１４はドライビングシャフト１３に固定されたチンプーリ１５との間に巻き掛けられたスピンドルテープ（図示せず）を介して回転駆動されるようになっている。フロントローラ１１及びスピンドル１４は、フロントローラ１１からのフリースの送り出し量（紡出量）と、スピンドル１４の糸巻取り量とが常に同量となるように回転される。両者の回転数比は紡出条件（撚数）に対応して設定されている。主モータＭにはインバータ１６を介して駆動される可変速モータが使用されている。歯車１２の近傍にはフロントローラ１１の回転に対応してパルス信号を出力するセンサＳ１が配設されている。
【００１５】
リフティング装置はラインシャフト１７を介してリングレール１８及びラペットアングル１９を昇降させるようになっている。ラペットアングル１９にはスネルワイヤ１９ａが取り付けられており、フロントローラ１１から送り出された糸Ｙがリング１８ａ上を摺動するトラベラ２０にスネルワイヤ１９ａを経て導かれるようになっている。
【００１６】
ラインシャフト１７は精紡機の機台の長手方向に沿って配設され、所定間隔でねじ歯車２１（図２では１個のみ図示）が一体回転可能に嵌着されている。リングレール１８は複数のポーカピラー２２（図２では１本のみ図示）により支持されている。ポーカピラー２２は上下方向に移動可能に機台フレーム（図示せず）に支承されるとともに、その下部側にスクリュー部２２ａが形成されている。スクリュー部２２ａは機台フレームの所定高さ位置に回転可能に支持されたナット体２３に螺合している。ナット体２３の外周にはねじ歯車２１と噛合するねじ歯車（図示せず）が一体に形成されている。ラペットアングル１９も同様な昇降機構でリングレール１８と同期して昇降可能となっている。
【００１７】
ラインシャフト１７はモータとしてのサーボモータ２４の駆動軸に歯車列（図示せず）を介して連結されている。サーボモータ２４は制御手段としての制御装置２５によりサーボドライバ２６を介して駆動制御される。サーボモータ２４にはロータリエンコーダ２７が装備されている。ラインシャフト１７はサーボモータ２４により駆動され、回転速度及び回転方向が自由に変更可能となっている。ラインシャフト１７、ポーカピラー２２、ナット体２３、サーボモータ２４及び歯車列によりリフティング装置が構成されている。この構成は特開平７−３００７２８号公報に開示された装置と、基本的に同じである。
【００１８】
制御装置２５は、ＣＰＵ（中央処理装置）２９、プログラムメモリ（ＲＯＭ）３０、作業用メモリ（ＲＡＭ）３１、入力装置３２、入力インタフェース３３、出力インタフェース３４、主モータ駆動回路３５及びサーボモータ駆動回路３６を備えている。ＣＰＵ２９は出力インタフェース３４及び主モータ駆動回路３５を介してインバータ１６に接続され、出力インタフェース３４、サーボモータ駆動回路３６及びサーボドライバ２６を介してサーボモータ２４に接続されている。
【００１９】
制御装置２５にはカウンタ３７が設けられている。カウンタ３７はロータリエンコーダ２７及びＣＰＵ２９と電気的に接続されている。カウンタ３７にはアップダウンカウンタが使用され、サーボモータ２４の正転時にロータリエンコーダ２７からの出力パルスが入力されるとカウント値が増加し、サーボモータ２４の逆転時にロータリエンコーダ２７からの出力パルスが入力されるとカウント値が減少するように構成されている。
【００２０】
ＣＰＵ２９はプログラムメモリ３０に記憶された所定のプログラムデータに基づいて動作する。プログラムメモリ３０は読出し専用メモリ（ＲＯＭ）よりなり、前記プログラムデータと、その実行に必要な各種データとが記憶されている。この実施形態では、巻始め部分及び巻終わり部分で増量巻を行うためのプログラムデータが記憶されている。各種データとして、例えば、紡出糸番手及び紡出運転時のスピンドル回転数等の紡出条件と、満管までのリングレール１８のチェース回数の対応データがある。
【００２１】
プログラムメモリ３０には、紡出条件に対応した、機台の起動時から満管に伴う停止時までの主モータＭの速度変化基準パターンや、機台の起動時から満管に伴う停止時までのリングレール１８の反転位置等のマップあるいは関係式が記憶されている。また、プログラムメモリ３０には、増量巻を行わない場合の基準チェース長から増量巻を行う場合の、チェース長Ｌｃを演算する関係式又はマップが記憶されている。
【００２２】
作業用メモリ３１は読出し及び書替え可能なメモリ（ＲＡＭ）よりなり、入力装置３２により入力されたデータやＣＰＵ２９における演算処理結果等を一時記憶する。
入力装置３２は紡出糸番手、紡出運転時のスピンドル回転数、紡出長、リフト長、基準チェース長等の紡出条件データの入力に使用される。
【００２３】
ＣＰＵ２９は入力インタフェース３３を介してセンサＳ１及びロータリエンコーダ２７と接続されている。ＣＰＵ２９はセンサＳ１からの出力信号に基づいて紡出量を演算する。ＣＰＵ２９はロータリエンコーダ２７の出力信号に基づいてリングレール１８の移動方向、即ち上昇か下降かを認識するとともに、カウンタ３７のカウント値に基づいてリングレール１８の位置を演算する。
【００２４】
次に前記のように構成された装置の作用を説明する。機台の運転に先立って、まず、紡出糸番手、紡出運転時のスピンドル回転数、紡出長、リフト長、基準チェース長等の紡出条件データが入力装置３２により入力される。リフティング装置とドラフトパート及びスピンドル駆動系とは独立した状態で、しかも同期した状態で駆動される。
【００２５】
ＣＰＵ２９は入力装置３２により入力されて作業用メモリ３１に記憶された紡出条件に従って、サーボモータ２４を主モータＭと同期して駆動制御する。サーボモータ２４が駆動されると歯車列を介してラインシャフト１７が回転され、ねじ歯車２１を介してナット体２３が回転される。そして、ナット体２３に螺合されたポーカピラー２２がリングレール１８等とともに上昇あるいは下降移動される。サーボモータ２４の正転時にリングレール１８等が上昇移動され、逆転時に下降移動される。また、フロントローラ１１から送出された糸Ｙはスネルワイヤ１９ａ及びトラベラ２０を経てボビンＢに巻き取られて管糸４０が形成される。
【００２６】
ＣＰＵ２９は、リングレール１８が上限位置ＵＬに達するまでは、図１に示すように、リングレール１８の上昇過程から下降過程に移行する上部反転位置ＰＵの上方への変位量Ｄｄを、巻始めから一定になるようにリングレール１８を昇降させる。リングレール１８の上限位置ＵＬは、玉揚げ時に図示しない玉揚げ装置のグリッパ（ボビン把持装置）がボビンＢを把持する際の掴み代で決められる。
【００２７】
通常の巻き取り時、即ち増量巻を行わない場合は、１回のチェース長Ｌｃを一定に保持し、かつリングレール１８の下部反転位置ＰＬの上方への変位量Ｄｕが同じになるように、予め入力された１チェースの上昇量あるいは下降量と対応する距離をリングレール１８が移動した時点で、サーボモータ２４の回転方向を変更するようにサーボモータ２４を駆動制御する。従って、通常の巻き取り時には、リングレール１８の下降過程から上昇過程に移行する下部反転位置ＰＬの上方への変位量Ｄｕも一定となるようにリングレール１８が昇降される。
【００２８】
一方、巻始めの増量巻部４０ａ、即ち下部の増量巻部４０ａを形成する場合は、リングレール１８の上昇量及び下降量が糸の巻始めから所定チェース回数まで順次増大するように、リングレール１８が昇降される。上部反転位置ＰＵの上方への変位量Ｄｄは変化させないため、下部反転位置ＰＬの上方への変位量Ｄｕが変化するようにリングレール１８が昇降される。この実施形態では、増量巻部４０ａの外形が曲面となるように下部反転位置ＰＬの上方への変位量Ｄｕが次第に増加するようにリングレール１８が昇降される。
【００２９】
また、巻終わりの増量巻部４０ｂ、即ち上部の増量巻部４０ｂを形成する場合は、通常の巻き取りで上限位置ＵＬまで巻き取りを行った後、リングレール１８の上部反転位置ＰＵを上限位置ＵＬより下げつつ、かつチェース長Ｌｃが漸減するようにリングレール１８が昇降される。上部の増量巻部４０ｂを形成する際、即ち上部の増量巻を行う際におけるリングレール１８の下部反転位置ＰＬの上方への変位量Ｄｕは、通常の巻き取り時における上方への変位量Ｄｕと同じに設定されている。従って、増量巻部４０ｂの管糸径が通常巻部と同じ径で連続するように管糸４０が形成される。そして、図３（ａ）に示すように、鎖線で示す巻終わりの増量巻部４０ｂの大径部に連続する部分の表面と、管糸４０の軸と直交する平面との成す角度θ１が、通常巻を行った場合の上側表面と、管糸４０の軸と直交する平面との成す角度αに等しくなる。
【００３０】
また、増量巻を行う際におけるリングレール１８の上部反転位置ＰＵの下方への変位量Ｄｄが一定となるようにリングレールが昇降される。変位量Ｄｄは、図３（ａ）に示すように、鎖線で示す巻終わりの増量巻部４０ｂの上側部分の表面と、管糸４０の軸方向との成す角度θ２が、５０〜５５°になるように設定されている。
【００３１】
そして、上部の増量巻が完了した後、上限位置ＵＬより上側に糸Ｙを巻き付ける首巻きが行われて首巻き部４１が形成される。首巻は２〜３回以下、巻かれる。
従って、巻き取り開始から巻き取り終了（巻終わり）までにおけるリング１８ａの昇降作動範囲は、図１に示すようになる。即ち、リング１８ａの上部反転位置ＰＵは、巻き取り開始から従来技術の巻終わり（満管停止）時のＴｅまでは、傾きが正（上向き）の一直線上に位置するように変位し、その後は、傾きが負（下向き）の一直線上に位置するように変位する。一方、下部反転位置ＰＬは、巻始めの増量巻部形成時には下側に凸の曲線上に位置するように変位し、通常巻部形成時には一直線上に位置するように変位し、巻終わりの増量巻部形成時には通常巻部形成時の延長線上に位置するように変位する。
【００３２】
以上の管糸形成方法で形成された管糸４０は、図３（ｂ）に示すように、下部に巻始め時の増量巻部４０ａを有し、上部に巻終わり時の増量巻部４０ｂを有する。従って、増量巻部４０ｂの分、管糸単量を増やすことができる。管糸単量の増加量は、ボビン長、管糸径（リング径）、紡出糸の太さ等により一概には言えないが、５〜１５％程度を見込むことができる。
【００３３】
この実施形態によれば、以下に示す効果を得ることができる。
（１）フィリングビルディングによって管糸形成を行う際、チェース長Ｌｃを一定に保持し、かつリングレール１８の下部反転位置ＰＬの上方への変位量Ｄｕを同じにした通常の巻き取りで上限位置ＵＬまで巻き取りを行った後、リングレール１８の上部反転位置ＰＵを前記上限位置ＵＬより下げつつ、かつチェース長Ｌｃが漸減するようにリングレール１８を昇降して増量巻を行う。従って、ボビン長を代えずに、かつ同じ管糸径で巻き取りを行っても従来に比べて管糸単量を増やすことができる。その結果、ボビンＢの種類（長さの異なるボビン）を増やさずに、糸の生産量当たりのボビン交換回数が低減され、精紡機の紡出停止時間を短縮できる。また、ワインダでの巻き返し時、糸の生産量当たりの糸継ぎ回数、精紡管糸交換回数が低減でき、ワインダの稼働率も向上できる。
【００３４】
（２）管糸４０の上部に増量巻を行う際におけるリングレール１８の下部反転位置ＰＬの上方への変位量Ｄｕは、通常の巻き取り時における上方への変位量Ｄｕと同じに設定されている。従って、増量巻部４０ｂにおける下部の管糸径が通常巻の部分と同じ径で連続するように巻き取りが行われるため、増量巻部４０ｂの下部の径が次第に小さくなる場合に比較して巻量を増やすことができる。
【００３５】
（３）管糸４０の上部に増量巻を行う際において、リングレール１８の上部反転位置ＰＵの下方への変位量Ｄｄが一定となるようにリングレール１８が昇降される。従って、増量巻部４０ｂをボビンＢの中心を含む面で切断した断面の外形線が直線状になり、外形線が曲線になる場合に比較してスラッフィングが発生し難くなる。
【００３６】
（４）管糸４０の上部に増量巻を行った後、通常の巻き取り時における上限位置ＵＬより上側に糸Ｙを巻き付ける首巻きを行う。従って、首巻き部４１がスラッフィングを抑制する機能を果たすため、首巻きを行わない場合に比較して増量巻の量を増やすことができる。
【００３７】
（５）リフティング装置は、ラインシャフト１７を専用のサーボモータ２４により正逆回転駆動させてリングレール１８を昇降させる構成のため、巻終わりの増量巻部４０ｂを形成する際、チェース長Ｌｃを変更するためにリングレール１８の反転位置を変更するのが容易になる。
【００３８】
実施形態は前記に限定されるものではなく、例えば、次のように具体化してもよい。
○  巻終わりの増量巻部４０ｂを形成する際、リングレール１８の上部反転位置ＰＵを上限位置ＵＬより下げつつ、かつチェース長Ｌｃが漸減するようにリングレール１８を昇降させればよく、リングレールの上部反転位置ＰＵの下方への変位量Ｄｄを一定ではなく、連続的に増加するようにリングレール１８を昇降させてもよい。この場合、増量巻部４０ｂの上部表面の形状が外側に凸の曲面となるため、増量巻の量を増すことができる。また、リングレールの上部反転位置ＰＵの下方への変位量Ｄｄが連続的ではなく、段階的に増加するようにリングレール１８を昇降させてもよい。
【００３９】
○  巻終わりの増量巻部４０ｂを形成する際、リングレール１８の下部反転位置ＰＬの上方への変位量Ｄｕは、通常の巻き取り時における上方への変位量Ｄｕと同じでなく、例えば、次第に増加するようにリングレール１８を昇降させてもよい。しかし、上方への変位量Ｄｕが次第に増加するようにリングレール１８を昇降させると、管糸４０の径が次第に小さくなるため、巻量を増やすには通常の巻き取り時における変位量Ｄｕと同じ方が好ましい。
【００４０】
○  首巻４１は行わなくてもよい。
○  リングレール１８の昇降を行うリフティング装置は、ラインシャフト１７をリフティング装置用のサーボモータ２４で駆動する代わりに、特許文献１に記載された装置のようにフロントローラ１１の回転を歯車列を介してラインシャフト１７に伝達する構成であってもよい。ラインシャフト１７の正転、逆転の切り換えは歯車列の途中に設けられた電磁クラッチを介して行われる。
【００４１】
○  スピンドル１４の駆動方式はベルト駆動に限らず、各錘毎にモータを設ける、所謂単錘駆動方式であってもよい。また、チンプーリ１５を用いたベルト掛けによる駆動ではなく、タンゼンシャルベルトによる駆動であってもよい。
【００４２】
以下の技術的思想（発明）は前記実施形態から把握できる。
（１）請求項１〜請求項４のいずれか一項に記載の発明において、前記リングレールの昇降を行うリフティング装置は、ラインシャフト１７を正逆回転させる専用のモータを備えている。
【図面の簡単な説明】
【００４３】
【図１】リング位置の経時変化と管糸の形成状態を示す模式図。
【図２】リング精紡機の概略構成図。
【図３】（ａ）は巻終わりの増量巻部の形状を説明する模式図、（ｂ）は増量巻部が形成された管糸の斜視図。
【図４】（ａ）は増量巻を行わない管糸の正面図、（ｂ）は従来の増量巻を行った管糸の正面図。
【符号の説明】
【００４４】
Ｙ…糸、Ｄｄ，Ｄｕ…変位量、Ｌｃ…チェース長、ＰＬ…下部反転位置、ＰＵ…上部反転位置、ＵＬ…上限位置、１８…リングレール、４１…首巻。
【図１】
0004635958.tif 000002
【図２】
0004635958.tif 000003
【図３】
0004635958.tif 000004
【図４】
0004635958.tif 000005